(57)【要約】【課題】フロアマットがフロアに対して正規の位置にある場合には確実に固定するとともに、フロアマットが正規の位置からずれた場合には容易に取り外すことが可能な乗物用フロアマットの取付構造を提供する。【解決手段】フロア側面ファスナー部２１は、複数の領域に分割されてそれら複数の領域の各々にはループ２１Ｌとフック２１Ｈとが互いに隣り合うように配され、マット側面ファスナー部２２は、フロア側面ファスナー部２１のフック２１Ｈが配された領域に対応する領域にはループ２２Ｌが、フロア側面ファスナー部２１のループ２１Ｌが配された領域に対応する領域にはフック２２Ｈが、それぞれ配された構成とする。【選択図】図１
2020131945.tif 000002
【特許請求の範囲】
【請求項１】
乗物室のフロアに対して乗物用フロアマットを取り付けるための乗物用フロアマットの取付構造であって、
ループとフックとを係合させる面ファスナーを用いたものであり、前記フロアの上面に設けられたフロア側面ファスナー部と、前記乗物用フロアマットの下面に設けられたマット側面ファスナー部と、を互いに係合させることで、前記フロアに対して前記乗物用フロアマットを取り付ける構造とされ、
前記フロア側面ファスナー部は、複数の領域に分割されてそれら複数の領域の各々にはループとフックとが互いに隣り合うように配され、
前記マット側面ファスナー部は、前記フロア側面ファスナー部のフックが配された領域に対応する領域にはループが、前記フロア側面ファスナー部のループが配された領域に対応する領域にはフックが、それぞれ配された乗物用フロアマットの取付構造。
【請求項２】
前記フロア側面ファスナー部および前記マット側面ファスナー部の各々は、所定方向において２つの領域に分割されており、
前記フロア側面ファスナー部は、前記所定方向における一方側にフックが、他方側にループが、それぞれ配され、
前記マット側面ファスナー部は、前記所定方向における一方側にループが、他方側にフックが、それぞれ配された請求項１に記載の乗物用フロアマットの取付構造。
【請求項３】
前記フロア側面ファスナー部および前記マット側面ファスナー部の各々は、前後方向において２つの領域に分割された請求項２に記載の乗物用フロアマットの取付構造。
【請求項４】
前記フロアは、表面が不織布状に形成されたものとされ、
前記マット側面ファスナー部は、前側にループが、後側にフックが、それぞれ配された請求項３に記載の乗物用フロアマットの取付構造。
【請求項５】
前記マット側面ファスナー部と前記フロア側面ファスナー部との一方は、他方に比較して大きくされた請求項１から請求項４のいずれか１項に記載の乗物用フロアマットの取付構造。
【請求項６】
前記フロア側面ファスナー部および前記マット側面ファスナー部の各々は、円形状とされた請求項１から請求項５のいずれか１項に記載の乗物用フロアマットの取付構造。
【請求項７】
前記フロアは、表面が不織布状に形成されたものとされ、前記フロア側面ファスナー部の周囲には、不織布状とされず前記フックと係合しない非係合領域が形成された請求項１から請求項６のいずれか１項に記載の乗物用フロアマットの取付構造。
【発明の詳細な説明】
【技術分野】
【０００１】
本発明は、乗物室のフロアに対して乗物用フロアマットを取り付けるための乗物用フロアマットの取付構造に関する。
【背景技術】
【０００２】
下記特許文献１には、車両のフロアパネル上にフロアカーペットが設けられ、そのフロアカーペット上にホットメルトシートを介して合成樹脂マットが接合された乗物用フロアマットの取付構造が記載されている。下記特許文献１には、ホットメルトシートに複数のスリットを設けることで、合成樹脂マットをカーペット上に加熱溶着する際のカーペットやフロアマットの変形、溶着部の剥離や破損する虞がなく、溶着作業を簡易迅速に行うことができるとともに、ホットメルトシートの使用量を減少させることができると記載されている。
【先行技術文献】
【特許文献】
【０００３】
【特許文献１】特開２０００−２５５０７号公報
【発明の概要】
【発明が解決しようとする課題】
【０００４】
乗物用フロアマットは、乗物室内の掃除や手入れのために、乗物室のフロアに対して着脱可能に敷設されることが多い。その着脱可能な乗物用フロアマットの取付構造として、面ファスナーが採用される場合がある。その面ファスナーは、フロア側とフロアマット側との一方がループ面とされ、他方がフック面とされ、両者を重ね合わせてループとフックとを係合させることで、フロアマットがフロアに対して固定される。例えば、車両の運転席に用いられるフロアマットは、運転中にずれて操作ペダルに被さってしまうようなことがないように、フロアへの固定は堅固であることが望ましい。一方で、フロアマットが正規の位置からずれた状態で、しっかりと固定されてしまうと、付け直しのために取り外すのに手間がかかってしまうことになる。特に、運転中にフロアマットがずれて、操作ペダルに被さったり、引っ掛かったりした状態でフロアマットが固定されてしまうような事態は回避しなければならない。
【０００５】
本発明は、そのような実情に鑑みてなされたものであり、フロアマットがフロアに対して正規の位置にある場合には確実に固定するとともに、フロアマットが正規の位置からずれた場合には容易に取り外すことが可能な乗物用フロアマットの取付構造を提供することを課題とする。
【課題を解決するための手段】
【０００６】
上記課題を解決するために本発明の乗物用フロアマットの取付構造は、
乗物室のフロアに対して乗物用フロアマットを取り付けるための乗物用フロアマットの取付構造であって、
ループとフックとを係合させる面ファスナーを用いたものであり、前記フロアの上面に設けられたフロア側面ファスナー部と、前記乗物用フロアマットの下面に設けられたマット側面ファスナー部と、を互いに係合させることで、前記フロアに対して前記乗物用フロアマットを取り付ける構造とされ、
前記フロア側面ファスナー部は、複数の領域に分割されてそれら複数の領域の各々にはループとフックとが互いに隣り合うように配され、
前記マット側面ファスナー部は、前記フロア側面ファスナー部のフックが配された領域に対応する領域にはループが、前記フロア側面ファスナー部のループが配された領域に対応する領域にはフックが、それぞれ配されたことを特徴とする。
【０００７】
この構成の乗物用フロアマットの取付構造（以下、単に「マット取付構造」と呼ぶ場合がある）は、フロアマットがフロアに対する正規の位置に対してずれて敷設された場合に、面ファスナーの外縁付近で互いに重ならない箇所が生じるだけでなく、フロア側面ファスナー部とマット側面ファスナー部との間の領域と領域との境界付近において、ループ同士が重なる箇所およびフック同士が重なる箇所が生じることになる。そのため、この構成のマット取付構造は、フロアマットが敷設された位置が正規の位置からずれる程、結合力が大きく低下するように構成される。つまり、この構成のマット取付構造によれば、フロアマットをフロア上の正規の位置に対して、誤って敷設してしまった場合であっても、フロアマットをフロアから容易に取り外すことができる。
【０００８】
この構成のマット取付構造の主体となる面ファスナーは、その形状が特に限定されず、円形や四角形状など種々の形状とすることができる。また、複数の領域の数も、２以上に分割されればよく、ずれを禁止したい方向において分割するような構成とすることができる。なお、フロアマットは、その素材が特に限定されず、ゴム製のものやカーペット状のものなど種々のものを採用可能である。
【０００９】
上記構成において、前記フロア側面ファスナー部および前記マット側面ファスナー部の各々は、所定方向において２つの領域に分割されており、前記フロア側面ファスナー部は、前記所定方向における一方側にフックが、他方側にループが、それぞれ配され、前記マット側面ファスナー部は、前記所定方向における一方側にループが、他方側にフックが、それぞれ配された構成とすることができる。
【００１０】
この構成のマット取付構造は、フロアマットがフロアに対して所定方向にずれた場合に、フロア側面ファスナーとマット側面ファスナー部とのフック同士あるいはループ同士が重なって、結合力が大きく低下するように構成されている。この構成のマット取付構造によれば、フロアマットが所定方向にずれた場合に、フロアマットがフロアに対して固定されてしまうことを防止することができる。
【００１１】
また、上記構成において、前記フロア側面ファスナー部および前記マット側面ファスナー部の各々は、前後方向において２つの領域に分割された構成とすることができる。
【００１２】
この構成のマット取付構造は、所定方向を前後方向に限定した構成であり、この構成のマット取付構造によれば、前後方向にずれたフロアマットがフロアに対して固定されてしまうことを防止することができる。したがって、この構成のマット取付構造は、操作ペダルが設けられた運転席のフロアマットに好適であり、操作ペダルにフロアマットが被さったり、引っ掛かったりした状態で固定されてしまうような事態を回避することができる。
【００１３】
また、上記構成において、前記フロアは、表面が不織布状に形成されたものとされ、前記マット側面ファスナー部は、前側にループが、後側にフックが、それぞれ配された構成とすることができる。
【００１４】
この構成のマット取付構造においては、フロアがカーペット状のものとされているため、面ファスナーのフックがカーペット状とされたフロアにも係合してしまうような構成となっている。しかしながら、マット側面ファスナー部は、前側がループとされているため、フロアマットがフロアに対して前方側にずれたとしても、フロアマットがフロアの不織布状の箇所にループが重なるだけで係合してしまうことがない。したがって、この構成のマット取付構造は、フロアがカーペット状のものとされた乗物において、前側にずれたフロアマットがフロアに対して固定されてしまうことを防止することができる。
【００１５】
また、上記構成において、前記マット側面ファスナー部と前記フロア側面ファスナー部との一方は、他方に比較して大きくされた構成とすることができる。
【００１６】
この構成のマット取付構造は、フロアマットがフロアに対して僅かにずれた場合においては、結合力の低下を抑えることができる。
【００１７】
また、上記構成において、前記フロア側面ファスナー部および前記マット側面ファスナー部の各々は、円形状とされた構成とすることができる。
【００１８】
この構成のマット取付構造は、どの方向からフロアマットを引っ張っても、結合している幅が円の直径となるため、フロアマットをフロアから取り外す際に、どの方向からでも剥がしやすい構造となっている。
【００１９】
また、上記構成において、前記フロアは、表面が不織布状に形成されたものとされ、前記フロア側面ファスナー部の周囲には、不織布状とされず前記フックと係合しない非係合領域が形成された構成とすることができる。
【００２０】
この構成のマット取付構造においては、フロアがカーペット状のものとされているため、面ファスナーのフックがカーペット状とされたフロアにも係合してしまうような構成となっている。しかしながら、フロア側面ファスナー部の周囲に非係合領域が形成されていることで、フロアマットが大きくずれてしまった場合であっても、マット側面ファスナー部がカーペット状とされたフロアに係合してしまうことを防止することができる。
【発明の効果】
【００２１】
本発明によれば、フロアマットがフロアに対して正規の位置にある場合には確実に固定するとともに、フロアマットが正規の位置からずれた場合には容易に取り外すことが可能な乗物用フロアマットの取付構造を提供することができる。
【図面の簡単な説明】
【００２２】
【図１】本発明の実施例である乗物用フロアマットの取付構造が採用された車両の車室内を示す図である。
【図２】車室のフロアを示す平面図である。
【図３】図１に示すフロアマットの下面図である。
【図４Ａ】フロアマットがフロアに対して前方にずれた状態において、面ファスナーの重なりを示す図である。
【図４Ｂ】フロアマットがフロアに対して図４Ａに示した状態からさらに前方にずれた状態において、面ファスナーの重なりを示す図である。
【図５Ａ】他の実施形態の乗物用フロアマットの取付構造を採用した車室のフロアを示す平面図である。
【図５Ｂ】図５Ａに示したフロアに対応するフロアマットの下面図である。
【図６Ａ】さらに別の実施形態の乗物用フロアマットの取付構造を採用した車室のフロアを示す平面図である。
【図６Ｂ】図６Ａに示したフロアに対応するフロアマットの下面図である。
【図７Ａ】さらに別の実施形態の乗物用フロアマットの取付構造を採用した車室のフロアを示す平面図である。
【図７Ｂ】図７Ａに示したフロアに対応するフロアマットの下面図である。
【図８】さらに別の実施形態の乗物用フロアマットの取付構造を採用した車室のフロアを示す平面図である。
【発明を実施するための形態】
【００２３】
以下、本発明を実施するための形態として、本発明の実施例を、図を参照しつつ詳しく説明する。なお、本発明は、下記の実施例に限定されるものではなく、当業者の知識に基づいて種々の変更、改良を施した種々の態様で実施することができる。
【００２４】
本発明の実施例である乗物用フロアマットの取付構造（以下、単に「マット取付構造」と呼ぶ場合がある）は、車両に採用されており、車室のフロア１０、詳しく言えば、運転席および助手席の各々の足元に、フロアマット１１を取付けるためのものとされている。以下の説明においては、図１〜図４を参照しつつ、運転席側のものを代表して説明することとする。なお、各図において、車両前方および車両後方をＦＲおよびＲＲの矢印でそれぞれ示し、車両右方向および車両左方向をＲおよびＬの矢印でそれぞれ示す。
【００２５】
運転席側のフロア１０には、図１に示すように、フットレスト１２が形成されるとともに、アクセルペダル１３およびブレーキペダル１４が配されている。なお、フロア１０は、フロアパネル上にフロアカーペットが敷設された構成とされている。なお、そのフロアカーペットは、ニードルパンチカーペットであり、フロア１０の表面は不織布状のものとなっている。なお、フロアカーペットは、ニードルパンチカーペットに限定されず、例えば、タフトカーペット等であってもよく、種々のカーペットを採用することができる。
【００２６】
フロアマット１１は、樹脂材料（例えば、ＳＢＲ系ゴム等）を基材として、その表面にニードルパンチカーペットが貼着されて形成されたものである。なお、フロアマットは、それに限定されず、パイルカーペットを用いたものやゴム製のもの等を採用することもできる。
【００２７】
そして、本発明のマット取付構造は、図１に示すように、ループとフックとを係合させる面ファスナー２０を２組用いたものである。それら面ファスナー２０の各々は、フロア１０の上面に貼り付けられたフロア側面ファスナー部２１と、フロアマット１１の下面に貼り付けられたマット側面ファスナー部２２と、からなる。そして、それらフロア側面ファスナー部２１とマット側面ファスナー部２２とを重ね合わせることで、それらのループとフックとが互いに係合し、フロアマット１１がフロア１０に対して取り付けられる。
【００２８】
フロア側面ファスナー部２１は、図２に示すように、円形状とされている。また、フロア側面ファスナー部２１は、中心を通って左右方向に延びる直線を境界として、前後方向において２つの領域に等分されており、前側の領域が、フックが形成されたフック面２１Ｈとされ、後側の領域が、ループが形成されたループ面２１Ｌとされている。一方、マット側面ファスナー部２２は、図３に示すように、フロア側面ファスナー部２１と同様に円形状とされ、前後方向において２つの領域に等分されているが、フロア側面ファスナー部２１とは異なり、前側の領域が、ループが形成されたループ面２２Ｌとされ、後側の領域が、フックが形成されたフック面２２Ｈとされている。また、図２に示すように、マット側面ファスナー部２２は、フロア側面ファスナー部２１に比較して大きな径の円形状とされている。なお、各図において、フロア側面ファスナー部２１のフック面２１Ｈとマット側面ファスナー部２２のフック面２２Ｈとを同じハッチで示すとともに、フロア側面ファスナー部２１のループ面２１Ｌとマット側面ファスナー部２２のループ面２２Ｌとを同じハッチで示している。
【００２９】
そして、それらフロア側面ファスナー部２１とマット側面ファスナー部２２とは、図１に示すように、中心が重なるように重ねられた場合に、フロア側面ファスナー部２１の全面が、マット側面ファスナー部２２に対して係合することになる。詳しく言えば、フロア側面ファスナー部２１のフック面２１Ｈの全体が、マット側面ファスナー部２２のループ面２２Ｌと重なって互いに係合するとともに、フロア側面ファスナー部２１のループ面２１Ｌの全体が、マット側面ファスナー部２２のフック面２２Ｈと重なって互いに係合するのである。つまり、この状態においては、面ファスナー２０の結合力は大きく、フロアマット１１は、フロア１０に対してしっかりと固定されることになる。
【００３０】
フロアマット１１が、フロア１０に対して、フロア側面ファスナー部２１とマット側面ファスナー部２２とが重なるように敷設された位置（以下、「正規位置」と呼ぶ）から前方側にずれた状態で敷設された場合には、図４Ａおよび図４Ｂに示すように、ループ面とフック面との境界付近において、フロア側面ファスナー部２１のフック面２１Ｈとマット側面ファスナー部２２のフック面２２Ｈとが重なることになり、その部分は結合力を発揮しない。つまり、面ファスナー２０は、図４Ｂに示すように、前後方向に大きくずれて重なった場合、フロア側面ファスナー部２１とマット側面ファスナー部２２とが重ならない外側の部分のみでなく、ループ面とフック面との境界付近においても、互いに係合しない部分が生じるようになっている。したがって、本発明のマット取付構造は、フロアマット１１がフロア１０に対して正規位置から前後方向におけるずれが大きいほど、結合力が大きく低下し、フロアマット１１をフロア１０から容易に取り外すことができる。
【００３１】
ただし、前述したように、マット側面ファスナー部２２は、フロア側面ファスナー部２１に比較して大きくされているため、図４Ａに示すように、フロア側面ファスナー部２１のフック面２１Ｈとマット側面ファスナー部２２のフック面２２Ｈとが僅かに重なって結合力を発揮していないものの、フロア側面ファスナー部２１のループ面２１Ｌの全体が、マット側面ファスナー部２２のフック面２２Ｈと重なって互いに係合するようになっており、フロアマット１１がフロア１０に対して正規位置から僅かにずれるような場合には、結合力の低下が抑えられ、フロアマット１１のフロア１０に対して十分な結合力を発揮できるようになっている。
【００３２】
また、先にも述べたように、フロア１０の表面が不織布状のものされているため、マット側面ファスナー部２２のフック面２２Ｈは、その不織布に対して係合しやすい。しかしながら、本発明のマット取付構造は、マット側面ファスナー部２２の前側の領域がループ面２２Ｌとされているため、図４Ａおよび図４Ｂに示すように、フロアマット１１が前方側にずれた場合において、マット側面ファスナー部２２のフック面２２Ｈがフロア側面ファスナー部２１からはみ出す範囲は小さい。したがって、マット側面ファスナー部２２のフック面２２Ｈが、フロア１０のカーペットに係合して、容易に取り外せないような事態を回避することができる。
【００３３】
以上のような構成により、本発明のマット取付構造は、フロアマット１１がフロア１０に対して正規の位置にある場合には確実に固定し、フロアマット１１が正規の位置からずれた場合には容易に取り外すことが可能となっているのである。そのため、本発明のマット取付構造によれば、万が一、運転中にフロアマット１１が前方側にずれて、アクセルペダル１３やブレーキペダル１４に引っ掛かってしまった場合であっても、フロアマット１１はしっかりと固定されておらず、フロアマット１１を容易にずらすことができるのである。
【００３４】
また、本発明のマット取付構造は、フロア側面ファスナー部２１とマット側面ファスナー部２２との各々が円形状とされているため、どの方向からフロアマットを引っ張っても、結合している幅がフロア側面ファスナー部２１の直径となるため、どの方向からでも、取り外しが行いやすいようになっている。
【００３５】
＜他の実施形態＞
上記実施例のマット取付構造においては、面ファスナー２０を構成するフロア側面ファスナー部２１とマット側面ファスナー部２２との各々が円形状とされていたが、それに限定されない。例えば、図５Ａに示すフロア５０のフロア側面ファスナー部５１、および、図５Ｂに示すフロアマット５２のマット側面ファスナー部５３のように、左右方向に長い楕円形状とされてもよい。また例えば、図６Ａに示すフロア６０のフロア側面ファスナー部６１、および、図６Ｂに示すフロアマット６２のマット側面ファスナー部６３ように、左右方向に長い概して四角形状とされてもよい。これらのように、面ファスナーを左右方向に長い形状とすることで、フロアマットのフロアに対する前後方向へ向かう力に対する抵抗力を大きくすることができ、より確実に、フロアマットの前方側への移動を抑えることができる。
【００３６】
また、上記実施例のマット取付構造においては、フロア側面ファスナー部２１とマット側面ファスナー部２２との各々が前後方向において２分割されていたが、それに限定されず、左右方向へのズレに対処したい場合には、左右方向において２分割した構成とすることもできる。さらに言えば、斜め方向に２分割することで、前後左右へのズレに対処可能な構成とすることもできる。
【００３７】
さらに言えば、本発明のマット取付構造は、分割した領域の数は２つであることに限定されず、３以上の領域に分割した構成とすることもできる。図７Ａおよび図７Ｂには、４分割した構成のマット取付構造を示している。詳しく言えば、図７Ａに示すフロア７０に設けられたフロア側面ファスナー部７１は、左前方と右後方とがフック面７１Ｈとされ、右前方と左後方とがループ面７１Ｌとされている。一方、図７Bおよびに示すフロアマット７２に設けられたマット側面ファスナー部７３は、左前方と右後方とがループ面７３Ｌとされ、右前方と左後方とがフック面７３Ｈとされている。そのような構成により、前後方向のズレだけでなく、左右方向のズレに対しても、フロアマットの取り外しを容易なものとすることができる。
【００３８】
また、本発明のマット取付構造は、図８に示すように、フロア８０には、フロア側面ファスナー部２１の周囲に、不織布状とされずフックと係合しない非係合領域８１が形成されている。その非係合領域８１は、例えば、ニードルパンチカーペットを貼り付けない領域としたり、カーペットの上に樹脂等のフィルムを貼着したりする等、種々の方法で形成することができる。この非係合領域８１が形成されていることで、フロアマットが大きく前方にずれてしまった場合であっても、マット側面ファスナー部のフック面がフロア８０に係合してしまうことを防止することができ、フロアマットが正規位置近傍以外において、固定されてしまうことを回避することができる。
【００３９】
上記実施例のマット取付構造は、車両用フロアマットに採用されていたが、それに限定されず、種々の乗物のフロアマットにおいて採用可能である。本発明のマット取付構造は、例えば、列車や遊戯用車両、飛行機やヘリコプター、船舶や潜水艇などの乗物用フロアマットの取付構造に適用することができる。
【符号の説明】
【００４０】
１０…フロア、１１…フロアマット〔乗物用フロアマット〕、２０…面ファスナー、２１…フロア側面ファスナー部、２１Ｈ…フック面、２１Ｌ…ループ面、２２…マット側面ファスナー部、２２Ｈ…フック面、２２Ｌ…ループ面、５０…フロア、５１…フロア側面ファスナー部、５２…フロアマット、５３…マット側面ファスナー部、６０…フロア、６１…フロア側面ファスナー部、６２…フロアマット、６３…マット側面ファスナー部、７０…フロア、７１…フロア側面ファスナー部、７１Ｈ…フック面、７１Ｌ…ループ面、７２…フロアマット、７３…マット側面ファスナー部、７３Ｈ…フック面、７３Ｌ…ループ面、８０…フロア、８１…非係合領域
【図１】
2020131945.tif 000003
【図２】
2020131945.tif 000004
【図３】
2020131945.tif 000005
【図４Ａ】
2020131945.tif 000006
【図４Ｂ】
2020131945.tif 000007
【図５Ａ】
2020131945.tif 000008
【図５Ｂ】
2020131945.tif 000009
【図６Ａ】
2020131945.tif 000010
【図６Ｂ】
2020131945.tif 000011
【図７Ａ】
2020131945.tif 000012
【図７Ｂ】
2020131945.tif 000013
【図８】
2020131945.tif 000014